(57)【要約】  本発明は、バレル（２）と、格納位置と延伸位置との間で移動可能なペン先（３５）を備えた筆記部材（３）と、筆記部材が移動された場合に、バレル内で引き込み位置と前進位置との間で移動可能なシールスリーブ（４０）と、前記スリーブが格納位置にあり且つペン先（３５）が内部にある場合にスリーブの前方開口部（４１）を保護するための閉鎖デバイス（５２）と、を具備している。スリーブはその内面に第１の係合部（４３）を具備し、筆記部材はその外面に第２の係合部（４６）を具備している。係合部（４３，４６）は円錐台形の係合部として形成されており、それはスリーブを移動させるために必要とされる力よりも強い接続力を発生するためであり、筆記部材が格納位置にあり且つシールスリーブが引き込み位置にある場合に、密封された環状領域を形成するためである。一方の係合部は円錐台面から成る。
2010506764.tif 000002
【特許請求の範囲】
【請求項１】
−後端（２ｂ）から前方開口部（２４）を備えた前端（２ａ）へと長手方向に延在したバレル（２）と、
−前端部にペン先（３５）を備え、格納位置と、前記前方開口部を介してペン先が突出する延伸位置と、の間で前記バレル（２）内で長手方向に移動可能な筆記部材（３）と、
−引き込み位置と前進位置との間で所定のストロークに沿って前記バレル（２）内で長手方向に移動可能とされ、後端および前端とにそれぞれ後方開口部および前方開口部（４２，４１）を備え、該後方開口部および前方開口部を介して前記筆記部材（３）がスライド可能なシールスリーブ（４０）であって、前記筆記部材が前記格納位置と前記延伸位置との間で移動されるときに、前記シールスリーブが前記筆記部材によって前記引き込み位置と前記前進位置との間で移動されるシールスリーブ（４０）と、を具備し、
−閉鎖部材（５２）は、前記スリーブが前記前進位置にある場合に、前記筆記部材が前記シールスリーブおよび前記バレルの前方開口部（４１，２４）を介して通ることを可能にし、且つ前記筆記部材が前記格納位置にあって前記ペン先（３５）が前記スリーブの内部に収容されている場合に、閉鎖部材はほぼ気密状態で前記スリーブの前記開口部を閉鎖する筆記具において、
前記シールスリーブ（４０）は径方向の内側面に第１の係合部（４３）を具備し、前記筆記部材（３）は径方向外側面に第２の係合部（４６）を具備し、前記第１および第２の係合部（４３，４６）は長手方向に配置されて、互いに摩擦力を発生して係合し、前記筆記部材（３）と前記スリーブとの間に、前記筆記部材の前記引き込み位置から前記前進位置へと移動するために必要な力よりも大きい接続力を発生し、前記筆記部材（３）が前記格納位置にあり且つ前記シール部材（４０）が前記引き込み位置にある場合に、前記第１および第２の係合部の間にほぼ気密の環状領域を形成し、少なくとも１つの前記第１および第２の係合部（４３，４６）は長手軸に関して同軸の円錐台面であり、後方に向かって向けられた頂点を備えているように形成されていることを特徴とする筆記具。
【請求項２】
前記第１の係合部（４３）は長手方向と同軸の円錐台面であり、その頂点は後方に向かって向けられていることを特徴とする請求項１に記載の筆記具。
【請求項３】
前記第２の係合部（４６）は前記第１の係合部と相補的な円錐台面とされていることを特徴とする請求項２に記載の筆記具。
【請求項４】
前記第１の係合部（４３）の円錐の頂角は前記第２の係合部（４６）の円錐の頂角以下であり、前記第１および第２の係合部の円錐の頂角は好適にほぼ等しいことを特徴とする請求項３に記載の筆記具。
【請求項５】
前記第１および第２の係合部の他は長手方向に離間された少なくとも２つの環状の突出レリーフ（４６ｃ、４６ｄ）を備えた面であり、該少なくとも２つのレリーフ（４６ｃ、４６ｄ）の軸は前記円錐台面と相補的な円錐台形状内に刻まれていることを特徴とする請求項１または２に記載の筆記具。
【請求項６】
前記少なくとも１つの円錐台面の前記円錐の頂角は２〜５°であり、好適には３°であることを特徴とする請求項１〜５のいずれか一項に記載の筆記具。
【請求項７】
前記第１および第２の係合部（４３，４６）の少なくとも一方は弾性的に変形可能な面を備えていることを特徴とする請求項１〜６のいずれか一項に記載の筆記具。
【請求項８】
前記第１の係合部（４３）は弾性的に変形可能な面を備え、その一方で前記第２の係合部（４６）は剛体の面を備えていることを特徴とする請求項１〜７のいずれか一項に記載の筆記具。
【請求項９】
前記少なくとも１つの弾性的に変形可能な面は、前記シールスリーブまたは前記筆記部材に属する剛体部とともに一部品として形成された弾性部であることを特徴とする請求項７または８に記載の筆記具。
【請求項１０】
前記シールスリーブ（４０）は全体的にエラストマで形成されていることを特徴とする請求項７または８に記載の筆記具。
【請求項１１】
前記第１および第２の係合部（４３，４６）はわずかな面粗さを有する硬い麺であり、好適に剛体のプラスチック面であることを特徴とする請求項１〜６のいずれか一項に記載の筆記具。
【請求項１２】
前記第１および第２の係合部（４３，４６）の摩擦係合は２〜１０Ｎの接続力を発生することを特徴とする請求項１〜１１のいずれか一項に記載の筆記具。
【発明の詳細な説明】
【技術分野】
【０００１】
本発明はキャップ無しタイプの筆記具に関し、通常は“キャップレス”と称される。そのペン先は気密室内で保護されている。これは、フェルトペン、ハイライトマーカーおよびマーカーのような筆記具のペン先にとって特に有利である。
【０００２】
より具体的には、本発明は筆記具に関し、その筆記具は、
−  後端から開口部を備えた前端へと延在しているバレルと、
−  前端にペン先を備え、格納位置と、前方開口部を介してペン先が突出する延伸位置と、の間でバレル内へ長手方向に移動可能な筆記部材と、
−  引き込み位置と前進位置との間で所定のストロークに沿ってバレル内へ移動可能であり、後部開口部と前部開口部とがそれぞれ形成されている後端と前端とを備え、筆記部材がそれらの開口部を介してスライド可能なスライドスリーブであって、そのスライドスリーブは、筆記部材が格納位置と延伸位置との間で移動するときに、筆記部材によって引き込み位置と前進位置との間で移動されるスライドスリーブと、を具備し、
−スリーブが前進位置にある場合、閉鎖デバイスはスリーブとバレルの開口部を介して筆記部材が通過することを可能にし、筆記部材が格納位置にあってペン先がスリーブ内に収容されている場合、閉鎖デバイスはスリーブの前方開口部をほぼ気密状態に閉鎖する。
【背景技術】
【０００３】
この種の筆記具は特に特許文献１から公知である。その文献に記載されたシールスリーブが移動するために、シャッター形状の閉鎖デバイスとバレルとの間に相対移動が発生する。この相対移動はシャッターの移動の明確な支配を可能にし、シャッターを閉鎖位置に移動して気密性を改良するわずかな機械的応力を得ることを可能にしている。他の実施形態において、バレルに対するシールスリーブの移動は、バレルに接続された閉鎖デバイスとともにこのスリーブによって形成された空間の気密性を改良するために利用されることも可能である。
【０００４】
しかしながら、実際のところ、シールスリーブは筆記部材のストロークよりも必然的に短いストロークに沿って移動されなければならず、筆記具の人間工学的心地良さにとって不利であった。より具体的には、使用者がペン先を格納位置から延伸位置へと移動した場合、筆記部材とシールスリーブとの係合がこの移動の過程で硬い部位を形成し、使用者がペン先の延伸を完了することを思いとどまらせることすらある。問題は、特許文献１に記載された筆記具の特別な場合において、シールスリーブは、スリーブの内壁に管状溝を備えた筆記部材上の突出したビードの係合によって推し進められる。この係合は、これらの部分をその文献の図１に示されたスリーブの引き込み位置から、閉鎖デバイスが開位置であるとみなされる図７に示されたスリーブの前進位置まで共に維持する。図６に示された延伸位置まで筆記部材の移動が続くために、使用者は管状溝の外側にビードを引き出すための十分な力をかけなければならず、硬い部位の不快な感覚を生じる。
【先行技術文献】
【特許文献】
【０００５】
【特許文献１】欧州特許出願公開第１４２２０７５号明細書
【発明の概要】
【発明が解決しようとする課題】
【０００６】
したがって、本発明の詳細な目的はキャップレス筆記具の使い心地を改良することであり、その一方で移動可能なシールスリーブおよび前端から気密的に閉鎖する観点からのそのスリーブに付随した利点を維持することである。
【課題を解決するための手段】
【０００７】
この目的のために、本発明は先に示されたタイプの筆記具に関する。そのシールスリーブは径方向の内側面に第１の係合部を具備し、筆記部材は径方向外側面に第２の係合部を具備し、第１および第２の係合部は長手方向に配置されて、互いに摩擦力を発生して係合し、筆記部材とスリーブとの間に、筆記部材の引き込み位置から前進位置へと移動するために必要な力よりも大きい接続力を発生し、筆記部材が格納位置にあり且つ前記シール部材が引き込み位置にある場合に、第１および第２の係合部の間にほぼ気密の環状領域を形成し、少なくとも１つの第１および第２の係合部（４３，４６）は長手軸に関して同軸の円錐台面であり、後方に向かって向けられた頂点を備えているように形成されていることを特徴としている。
【０００８】
係合部間の係合がスリーブと筆記部材との間に接続力が発生するために、筆記部材を利用してスリーブを前進させることが可能である。しかしながら、これらの部品のスナップ接続とは対照的に、少なくとも一方が円錐台形の係合部は、スリーブを前進させるために必要とされる力よりもわずかに大きい力によって分離されることが可能であり、どの場合においても、その力は先行技術のスナップ接続を分離するために必要とされる力よりもかなり大きい。さらには、一方または双方の円錐台面は、それらの分離がスナップ係合を伴うよりも目立って突然なものではなく、それはが、わずかなテーパが採用されて場合に、筆記部材がスリーブから分離したとき、円錐台の力よりゆっくりと０まで減少することが可能である。係合部の多様なパラメータが調整され、接続、摩擦を伴った係合の損失の突然性、および得られる気密性に帰結する力に関して所望の特徴を得ている。これらのパラメータは以下に記載されているが、初期的に円錐の頂角、円錐台の長さおよび直径のような幾何学的形状のパラメータであるが、それらのパラメータはこれらの部分またはその表面状態のいずれか、またはそれらの双方を形成している材料のタイプに関係している。
【０００９】
本発明の好適な実施形態は、以下の条項のうちのどれかを使用して形成されている。
−前記第１の係合部は長手方向と同軸の円錐台面であり、その頂点は後方に向かって向けられている。
−前記第２の係合部は前記第１の係合部と相補的な円錐台面とされている。
−前記第１の係合部の円錐の頂角は前記第２の係合部の円錐の頂角以下であり、前記第１および第２の係合部の円錐の頂角は好適にほぼ等しい。
−前記第１および第２の係合部の他は長手方向に離間された少なくとも２つの環状の突出レリーフを備えた面であり、該少なくとも２つのレリーフの軸は前記円錐台面と相補的な円錐台形状内に刻まれている。
−前記少なくとも１つの円錐台面の前記円錐の頂角は２〜５°であり、好適には３°である。
−前記第１および第２の係合部の少なくとも一方は弾性的に変形可能な面を備えている。
−前記第１の係合部は弾性的に変形可能な面を備え、その一方で前記第２の係合部は剛体の面を備えている。
−前記少なくとも１つの弾性的に変形可能な面は、前記シールスリーブまたは前記筆記部材に属する剛体部とともに一部品として形成された弾性部である。
−前記シールスリーブは全体的にエラストマで形成されている。
−前記第１および第２の係合部はわずかな面粗さを有する硬い麺であり、好適に剛体のプラスチック面である。
−前記第１および第２の係合部の摩擦係合は２〜１０Ｎの接続力を発生する。
【００１０】
他の特徴および利点は以下の記載の経過中で明確にされる。その記載は添付図を参照するとともに実施例を使用して与えられている。
【図面の簡単な説明】
【００１１】
【図１】本発明による第１の実施形態の筆記部材とシールスリーブとを具備した筆記具の分解図を示している。
【図２】図１に示された筆記部材とスリーブとの拡大部分断面を示した図である。
【図３】格納位置に筆記部材がある場合の、図１に示された筆記具の長手方向における断面を示した図である。
【図４】延伸位置に筆記部材がある場合の、図３と同様の図を示している。
【図５】本発明による第２の実施形態の筆記部材とシールスリーブとの拡大断面を示した図である。
【発明を実施するための形態】
【００１２】
様々な図において、同一の参照符号は同一または類似の部品に付されている。
【００１３】
図３および４は筆記具１の断面を概略的に示しており、筆記具は前端２ａと後端２ｂとの間で長手方向に延在したバレル２を備えている。図１に更に明確に見られているように、バレルは主管状ボディ２１とカラー２３との２つの部品から成る。カラー２３は前端２ａにおいて開口部２４と、管状ボディ２１内に挿入することによって取り付けられることが可能な後方管状突出部２５とを備えている。後方管状突出部２５の自由端は複数の歯２５ａを供え、その機能は後述されている。
【００１４】
図３に見られるように、バレル２の主ボディ２１の内壁は鋸歯状のカムトラック２１ｃを具備し、そのカムトラックは後方に向かって長手方向に延在した溝２１ｄに接続されている。
【００１５】
バレル２は筆記部材３を具備している。図１に更に明確に示されているように、筆記部材３は、ソケット３２で後端が閉鎖され且つインク浸透パッド３３を含んだリザーバ３１を具備している。筆記部材３はリザーバ３１の前端においてチューブ３４によって連続されている。チューブ３４の前端はペン先３５である。ペン先３５はコネクタ３６に結合されて、インクの供給のためのパッド３３まで  チューブ３４に沿って延在している。
【００１６】
したがって、筆記部材３は毛細管リザーバを備えたフェルトタイプのペン先であるが、インクが自由に出るリザーバまたはボールペンタイプとしてもよい。リザーバに収容されたインクは筆記具のタイプにしたがって、フェルトペン先、マーカーまたはボールペンから選択されるが、修正液であってもよい。
【００１７】
リザーバ３１の前部において、筆記部材３１は端部の歯３８ａおよび径方向拍車３８ｂを備えたリング３８を有する。
【００１８】
筆記部材３はバレル２内で、図３に示された拍車３８ｂがバレルの溝２１ｄの後端に対して接する格納位置と、図４に示された拍車３８ｂが鋸歯状のカムトラック２１ｃに対して支持し且つペン先３５がバレル２の開口部２４を介して突出する延伸位置との間で、平行移動することが可能である。リング３８の回転は溝２１ｄから鋸歯２１ｃまで移動するために径方向拍車３８ｂに必要であり、公知の手法でカラー２３の管状突出部状に歯２５ａを伴って歯３８ａの端部の相互作用によって形成されている。
【００１９】
バレル２の径方向内部ショルダ２１ａとリザーバ３１の周囲のフープ３１ｂとの間の圧縮ばね２６は、筆記部材３を端部２ｂに向かって恒久的に圧縮された状態に維持する。
【００２０】
リザーバ後部のソケット３２は使用者の動作の下で長手方向に移動する作動部材を形成し、圧縮ばね２６の作動に対向してペン先３５を格納位置から延伸位置まで移動させ、およびその逆向きに移動させる。しかしながら、ペン先の延伸／格納を行うための制御部材は大きく異なっている。例えば、制御部材はバレルの回転部、またはバレルの長手方向に対して素早く押し込まれるボタンとされることも可能である。同様に、格納位置と延伸位置とにおいて筆記部材を維持する機構は大きく異なったものとすることが可能である。
【００２１】
バレル２はシールデバイス４を備え、その機能はペン先３５を気密空間内に、または少なくともリザーバからインクの乾燥もしくは早期の蒸発を防止するために十分に気密された空間内に閉じ込めることであり、筆記部材３が格納位置にある場合、すなわち筆記具１が使用されていない場合にその機能が発揮される。
【００２２】
シールデバイス４は、図示された実施形態において、シース５０によって外周を囲まれたスリーブ４０を具備している。スリーブ４０は基本的に管状であり、前方開口部４１を備え、その開口部を介してペン先３５とこのペン先を坦持したチューブ３４とがスライド可能である。また、スリーブ４０は後方開口部４２を備えその開口部を介してチューブ３４の小径部が自由にスライド可能である。スリーブ４０の外面は突出部４０ａを含み、シース５０を固定している。スリーブ４０は径方向に気密空間を形成し、その空間は、格納時にペン先３５を収容する。スリーブ４０は有利に単一の弾性部材であり、ある程度の弾性を与えている。
【００２３】
外部シース５０はスリーブ４０に恒久的にスナップ固定されている。シース５０は硬質プラスチック製であり、それはアセンブリに一定の剛性を与え、シールデバイス４のバレル２内での並進移動、およびこれによるスリーブ４０の並進移動を助長するためである。
【００２４】
カラー２３は、図３に見られている長手方向の前方停止部２３ａと、図４に見られている長手方向の後方停止部２３ｂとを備え、それらはシールデバイス４の移動を所定の距離に制限している。したがって、スリーブ４０は、図３に示された引き込み位置と図４に示された前進位置との間で移動可能である。
【００２５】
シールデバイス４はシャッター５２を具備し、そのシャッターは一体化されたプラスチックヒンジ５３によってシース５０にヒンジ結合されている。シャッター５２の形状はスリーブの前方開口部４１を覆うようにデザインされており、直角方向の突出部を具備し、その突出部はカラー２３内の開口部２３ｃ内に落ち込む。実際には、スリーブ４０は開口部４１の周囲に弾性的に変形可能であり、シャッター５２と共に更に良好なシールを形成する。
【００２６】
前進位置と引き込み位置との間のシールデバイス４の移動は、シャッター５２を、ペン先が通過することが可能な開位置と、スリーブ４０の前方開口部４１を閉鎖し且つほぼシールする閉位置との間のそれぞれで移動させる。したがって、シャッター５２は閉鎖デバイスを構成し、より詳細には、操作においては、読者は特許文献１を参照してもよい。
【００２７】
図２においてより明確に見られているように、シールスリーブ４０は第１の係合部４３を具備し、筆記部材３は第２の係合部４６を備えている。これら２つの係合部は、筆記部材３が図３に示された格納位置にある場合に、互いに係合する。
【００２８】
より具体的には、シールスリーブ４０の係合部４３はスリーブの径方向内面に形成されており、ほぼ後方開口部４２からスリーブに沿って半分よりも前方に延在している。係合部は円錐台面であり、円形基部の４３ａから基部よりも小径の円形頂部の４３ｂまで延在し、スリーブの後方開口部４２に向かって配置されている。結果的に、スリーブ４０は筆記具１内に取り付けられたとき、第一の係合部４３は長手軸と同軸の円錐台形であり、その頂部は後端２ｂに向けられている。
【００２９】
筆記部材３に属する第２の係合部４６は、より具体的には、シールスリーブ４０内に取り付けられた筆記部材３の環状の径方向外面に形成された円錐台形状を成しており、より具体的には、ペン先３５を担持しているチューブ３４の面の部分にある。第２の係合部４６の円錐台面は第１の係合部４３の円錐台面と相補的であり、すなわち、それらは角度十数度以内の径で測定された円錐の頂角を互いに有している。
【００３０】
さらに、前部に向かって配置された第２の係合部４６の基部４６ａの直径は、第１の係合部４３の基部４３ａの直径と頂部４３ｂの直径との間の数値である。第２の係合部の後部４６ｂの直径はこの部分の前端４６ａの直径よりも小さく、したがって、後部に向かって頂部が配置されている。したがって、シールスリーブ４０を通過する筆記部材３は引き戻され、第１および第２の係合部（４３，４６）は互いに接触し、この場合、それらの面の大部分を越えている。
【００３１】
筆記部材３を後方に向かって押し付けている圧縮ばね２６は、一定の荷重が第１の係合部４３上に第２の係合部材４６によってかけられることを確実にしており、それはシールスリーブ４０が引き込み位置においてカラー２３上に後方停止部によって固定されるためであるということが、図示された機構によって観察される。一方で、格納位置内の筆記部材３は圧縮ばね２６の復元力にさらされておらず、これは筆記部材上のリング３８がバレル２の内部ショルダ２１ａと接触しているためである。
【００３２】
この場合双方とも円錐台面によって形成された２つの係合部（４３，４６）の相互作用は、スリーブ４０の後端が密封されることを確実にしている。これらの同軸の面はそれぞれ同一のテーパであり、互いに接触する領域を形成し、その領域は係合部（４３，４６）の外周の全周にわたって延在し、これらの部分の長手方向の大部分の長さを越える。このように、スリーブ４０の後端で形成されたシールは、バレルにキャップを取り付けることによって得られるシールと厳密に同程度のものであり、それは前方開口部４１がシャッターによって閉鎖され、ペン先３５が格納位置において保護されているからである。
【００３３】
さらに、２つの係合部（４３，４６）の相互作用は締め付け力を発生し、これらの部材の少なくとも１つの円錐台形状のために、筆記部材３とスリーブ４０との間の摩擦係合を形成している。このように発生した接続力は、筆記部材３が後部押し込みボタン３２によって延伸した位置内に手動で押された場合に、スリーブ４０を図３に示された引き込み位置から図４に示された前進位置まで駆動することに有利に使用される。シールスリーブ４０または更に正確にはそこに取り付けられたシース５０が最前位置に到達した場合、使用者によってかけられた圧力はスリーブ４０の係合部から筆記部材３の係合部４６を開放し、ペン先３５を、スリーブ内で前方開口部４１を介しておよび筆記具内で開口部２４を介して移動させ、延伸位置に到達させる。
【００３４】
筆記部材３とスリーブ４０との間に発生する一時的な接続力は、シールデバイス４を引き込み位置から前進位置へ移動させ、その一方でシャッター５２によって形成された閉鎖デバイスを操作するのに十分な大きさでなくてはならない。記載された実施形態に関して、少なくとも２Ｎの接続力がシールデバイス４の前方への移動を確実にするが、最小接続力は他のタイプのペンのために大きくすることが可能である。さらに、実際のところ、本発明によって構成された係合部（４３，４６）の分離はスナップ係合ほどに突然ではなく、スリーブ４０から筆記部材３を分離するために必要とされる力を改良して、数Ｎ程度の低い数値、好適には１０Ｎを超えない数値にすることが可能であり、これによって筆記具は非常に容易に操作され、分離はほとんど微小な力となる。
【００３５】
係合部（４３，４６）の特徴は、接続力を改良して心地よい使用とシールスリーブ４０の確実な移動との間で良好な譲歩を与える数値とするために、認知できるほどに改良されてもよい。それと同様にこの力の数値と、係合部（４３，４６）間の所望の気密の度合いとの間で良好な譲歩を与える数値とするために、係合部の特徴が改良されてもよい。前述のそのようなパラメータは、円錐の頂角、一方の係合部の円錐台面に対する他方の係合部の面の形状、ならびにこれらの面の直径および長さのような、面の幾何学形状に関するパラメータを含んでいてもよい。
【００３６】
これらの部品が形成される材料のタイプのような、他のパラメータが含まれてもよく、より具体的には、これらの材料で形成される係合部の面の特徴が含まれてもよい。
【００３７】
例えば、円錐台面の直径を基に測定された係合部（４３，４６）の円錐の頂角は小さく、２〜５°であり、図示された実施形態のように好適には３°である。これは特に接続力を高め、進歩的な分離を達成するためである。
【００３８】
しかしながら、第１の係合部４３、すなわちスリーブ４０に接続された雌部の円錐の角度は第２の部分の円錐の頂角以下であること、または少なくともモールド成型のための仕様を採用することが好適である。これは、製品直径の必然的なばらつきにもかかわらず、逆の形状よりもこの形状を得るためである。これにより生ずることは、雌部のためのより小さいテーパを伴って、接触領域は係合部（４３，４６）の間で得られ、それはより大きい直径の領域を前進させる。このことは気密性と気密空間の容積の減少とを改良する。
【００３９】
同じ目的のために、しかし気密性を改良するためにも、一方の係合部はエラストマから形成され、その面は弾性的に変形して荷重を加えることが可能である。図示された実施形態において、それは雌係合部４３、すなわちスリーブ４０の係合部であり、それが全体的にエラストマで形成されている。スリーブ４０の径方向の拡張が剛体の外部シース５０によって制限されているのが見られる。したがって、筆記部材３がスリーブの後方を介して脱落する危険性、またはシールデバイス４がバレル２内で詰まる危険性はない。
【００４０】
しかしながら、第2の係合部４６は剛性のあるプラスチックで、チューブ３４と一体にモールド成型されて形成されている。変形可能な面と剛体の面とのこの組み合わせは、分離に関しておよびスライド移動の案内に関して好ましいと思われる。しかし、係合部（４３，４６）の変形可能な面および剛体面を逆転すること、または第１および第２の係合部のための変形可能な面を有することさえもあり得る。
【００４１】
改良型の実施形態に示されているように、エラストマのスリーブ４０はシース５０内に取り付けられ、一方の係合部が、剛体のプラスチック上にまたはスリーブ内を通る筆記部材の部分上に、２ショット射出成型またはオーバーモールド成型されたエラストマ部によって形成されることは、有利なことである。このことは単一の、ほぼ剛体の要素を提供し、係合部の機能を発揮するその部分のみが所望の弾性面を備え、その面は特に筆記具の組み立てを容易なものとすることが可能である。
【００４２】
改良型において、対応した部品の残りとして、第１および第２の係合部が同一の剛体のプラスチックで形成された硬い面を備えていることも可能である。このことは部品の製造を容易なものとする。しかしながら、係合部の面の状態は、これによって気密性と係合によって得られる接続力との間の良好な譲歩を確実にするために適合されなければならない。この目的のために、特にその平均ラインに対する粗さの算術平均偏差Ｒａが１．６μｍ以下である、わずかな粗さを有する剛体の係合面を採用することが好ましいということが明らかである。
【００４３】
図１〜４に図示された第１の実施形態において、２つの係合部は相補的な円錐台面を備えているが、これらの面の少なくとも１つは円錐台とは異なった幾何学形状を完全に採用することが可能である。その一方で、その形状は十分な気密性、および過度の力または挙動を発生することなく分離されることが可能な接続を実行する。
【００４４】
例えば図５を参照すると、第２の係合部４６、すなわち筆記部材３に接続される雄部は、２つの環状の突出レリーフ（４６ｃ，４６ｄ）を備えた全体的に円筒面よって形成されており、この場合は、レリーフはビード形状である。レリーフ（４６ｃ，４６ｄ）は長手方向において互いに離間されており、それぞれ異なった高さとされているが、それぞれの高さは全周にわたって全て一定であり、低い方のレリーフ４６ｄは後方に向かって配置され、高い方のレリーフ４６ｃは前方に向かって配置されている。したがって、これらのレリーフの頂点は円錐台形状内で好適に第１の係合部４３の面に対して相補的に刻まれている。このように、２つの連続的な環状シール領域が存在し、筆記部材３のチューブ３４とバレル２の長手軸と一致した同軸のスリーブ４０とが共通に整列されている。しかしながら、円錐台面と係合することが可能な複雑な面の他の形状をとることが可能であり、それは円形の階段状面などである。しかしながら、そのような複雑な形状のために、第２の係合部４６に使用されて、雌側または第１の係合部４３の円錐台面が分離することは好適であると考えられる。
【００４５】
上述の２つの実施形態はもちろん限定的なものでない。一方で、第１および第２の係合部の議論において示された異なった改良型は一体に結合されることが可能であり、そのような係合部が筆記部材に使用されることも可能であり、その筆記部材は、延伸／格納のための、異なった閉鎖部材に設けられた１つ以上の顕著に異なったチップの機構を備えている。
【符号の説明】
【００４６】
１  ・・・筆記具
２  ・・・バレル
３  ・・・筆記部材
４  ・・・シールデバイス
２１  ・・・主ボディ
２１ｃ  ・・・カムトラック
２１ｄ  ・・・溝
２３  ・・・カラー
２４  ・・・開口部
２５  ・・・後方管状突出部
２６  ・・・圧縮ばね
３１  ・・・リザーバ
３２  ・・・ソケット
３３  ・・・インク浸透パッド
３４  ・・・チューブ
３５  ・・・ペン先
４０  ・・・スリーブ
４１  ・・・前方開口部
４２  ・・・後方開口部
４３  ・・・第１の係合部
４６  ・・・第２の係合部
５０  ・・・シース
５２  ・・・シャッター
５３  ・・・ヒンジ
【図１】
2010506764.tif 000003
【図２】
2010506764.tif 000004
【図３】
2010506764.tif 000005
【図４】
2010506764.tif 000006
【図５】
2010506764.tif 000007
【国際調査報告】
2010506764.tif 000008
2010506764.tif 000009
2010506764.tif 000010
2010506764.tif 000011